【事件の表示】
　特願２００１−３７０４９９「熱現像感光材料」拒絶査定不服審判事件〔平成１５年　６月２０日出願公開、特開２００３−１７２９９７〕について、次のとおり審決する。
【結　論】
　本件審判の請求は、成り立たない。
【理　由】
１．手続の経緯・本願発明 
　本願は，平成１３年１２月４日の出願であって，平成１８年１０月２３日付けの拒絶理由の通知に対し、同年１２月２７日付けで手続補正書が提出され、平成１９年２月２６日付けで拒絶査定がなされ、これに対し、同年３月２８日付けで拒絶査定に対する審判請求がなされたものであり、その請求項１に係る発明は，平成１８年１２月２７日付けの手続補正書により補正された特許請求の範囲の請求項１に記載された次のとおりのものと認める。（以下「本願発明」という。）
　
　「【請求項１】　支持体上の一方面上に、少なくとも１種類の、感光性ハロゲン化銀、銀イオンのための還元剤、バインダー、及び非感光性有機銀塩粒子を有する熱現像感光材料であって、該非感光性有機銀塩粒子がアルコールまたはアセトンの水溶性有機溶剤を用いて形成された有機銀粒子であり、該非感光性有機銀塩粒子のベヘン酸銀含有率が９０モル％以上１００モル％以下であり、かつ下記一般式（Ｉ）で表される化合物を含有することを特徴とする熱現像感光材料。
　　【化１】
　　前記一般式（１）において、Ｒ21、Ｒ22、及びＲ23は、各々独立に、置換又は無置換の、アルキル基、アリール基、アルコキシ基、アリールオキシ基、アミノ基又はヘテロ環基を表す。Ｒ21、Ｒ22、及びＲ23が置換基を有する場合の該置換基は、ハロゲン原子、アルキル基、アリール基、アルコキシ基、アミノ基、アシル基、アシルアミノ基、アルキルチオ基、アリールチオ基、スルホンアミド基、アシルオキシ基、オキシカルボニル基、カルバモイル基、スルファモイル基、スルホニル基、又はホスホリル基である。」
　 
２．引用刊行物記載の発明
（１）これに対して，原査定の拒絶の理由に引用文献１として引用された特開２００１−１６３８８９号公報（以下、「刊行物１」という。）には、次の事項が記載されている。
　
（１ａ）「【請求項１】  銀イオン含有溶液と脂肪酸アルカリ金属塩の溶液とを混合して反応させることにより形成される脂肪酸銀塩粒子の製造方法において、
該銀イオン含有溶液の総添加銀量の５０〜９９％を、該脂肪酸アルカリ金属塩の溶液と同時に添加すること、
該脂肪酸アルカリ金属塩の溶液の総添加モル量の５０〜１００％を、ｐＨ２〜５の溶液に添加すること、
該銀イオン含有溶液の総添加銀量の０．１〜４０％を、該脂肪酸アルカリ金属塩の添加終了後に添加することを特徴とする脂肪酸銀塩粒子の製造方法。
【請求項２】 （省略）
【請求項３】 （省略）
【請求項４】  支持体上に、還元剤、バインダーおよび脂肪酸銀塩粒子を有する熱現像画像記録材料において、該脂肪酸銀塩粒子が請求項１〜３のいずれかに記載の製造方法により製造されたものであることを特徴とする熱現像画像記録材料。
【請求項５】  感光性ハロゲン化銀を含有することを特徴とする請求項４に記載の熱現像画像記録材料。」（特許請求の範囲）
　
（１ｂ）「【発明が解決しようとする課題】これらの従来技術の問題点に鑑みて、本発明は、熱現像画像記録材料に用いた場合に、カブリ防止能、更には経時におけるカブリ防止能に優れる脂肪酸銀塩粒子の製造方法を提供すること、及び該方法により製造される脂肪酸銀塩粒子を用いた熱現像画像記録材料を提供することを課題とした。」（【０００７】）
　
（１ｃ）「【００１１】本発明に用いる脂肪酸は、銀塩とした場合に光に対して比較的安定であるが、露光された光触媒（感光性ハロゲン化銀の潜像など）および還元剤の存在下で、該銀塩が８０℃或いはそれ以上に加熱された場合に銀画像を形成するものである。本発明に用いる脂肪酸は、好ましくは炭素数１０〜３０、より好ましくは炭素数１２〜２６の長鎖脂肪族カルボン酸である。脂肪族カルボン酸の好ましい例としては、セロチン酸、リグノセリン酸、ベヘン酸、エルカ酸、アラキジン酸、ステアリン酸、オレイン酸、ラウリン酸、カプロン酸、ミリスチン酸、パルミチン酸、マレイン酸、フマル酸、酒石酸、リノール酸、酪酸及び樟脳酸、ならびにこれらの混合物を挙げることができる。」
　
（１ｄ）「【００２０】本発明の実施に際して、脂肪酸塩粒子を形成させるためには、銀イオン含有溶液、脂肪酸アルカリ金属塩の溶液、あらかじめ反応場に準備しておく溶液の少なくとも一つに、脂肪酸アルカリ金属塩がひも状会合体やミセルではなく、実質的に透明溶液となり得る量の有機溶剤を含有することが好ましい。溶液は有機溶剤単独でも構わないが、水との混合溶液であることが好ましい。本発明で使用できる有機溶剤としては、水溶性で上記性質を有していればその種類は特に制限されないが、写真性能に支障をきたすものは好ましくなく、好ましくは水と混合できるアルコール、アセトン、更に好ましくは炭素数４〜６の第３アルコールが好ましい。」
　
（１ｅ）「【００６６】本発明において好ましく用いられる還元剤としては、フェニドン、ヒドロキノン類、カテコールおよびヒンダードフェノールが好ましい。・・・
【００６７】還元剤の例には、・・・ビスフェノール類（例、２，２’−メチレンビス−（４−メチル−６−ｔｅｒｔ−ブチルフェノール）、２，２’−メチレンビス−（４−エチル−６−ｔｅｒｔ−ブチルフェノール）、ビス（２−ヒドロキシ−３−ｔ−ブチル−５−メチルフェニル）メタン、ビス（６−ヒドロキシ−ｍ−トリ）メシトール、２，２−ビス（４−ヒドロキシ−３−メチルフェニル）プロパン、１，１−ビス（２−ヒドロキシ−３，５−ジメチルフェニル）−３，５，５−トリメチルヘキサン、４，４−エチリデン−ビス（２−ｔ−ブチル−６−メチル）フェノール）、紫外線感応性アスコルビン酸誘導体および３−ピラゾリドン類が含まれる。・・・。特に好ましい還元剤は、ビスフェノールである。」（【００６６】〜【００６７】）
　
（１ｆ）「【００８８】本発明の熱現像画像記録材料には、ホスホリル基を有する化合物を用いることが好ましく、ホスフィンオキシド類が特に好ましい。具体的には、トリフェニルホスフィンオキシド、トリ−（４−メチルフェニル）ホスフィンオキシド、トリ−（４−メトキシフェニル）ホスフィンオキシド、トリ−（ｔ−ブチル−フェニル）ホスフィンオキシド、トリ−（３−メチルフェニル）ホスフィンオキシド、トリオクチルホスフィンオキシド等が挙げられる。本発明に用いるホスホリル基を有する化合物は、還元剤、ポリハロゲン化合物と同様な方法で熱現像画像記録材料中に導入することができる。」
　
（１ｇ）「【実施例】以下に実施例を挙げて本発明をさらに具体的に説明する。・・・
実施例１
【０１５４】《脂肪酸酸銀分散物の調製》
＜１＞脂肪酸アルカリ金属塩溶液の調製
ヘンケル社製ベヘン酸（製品名ＥｄｅｎｏｒC22-85R）８７６ｇ、蒸留水４２３０ｍｌ、5N−NaOH水溶液４９２ｍｌ、tert−ブチルアルコール１２００ｍｌを混合し、７５℃にて1時間攪拌し反応させ、ベヘン酸ナトリウム溶液を得た。
＜２＞銀イオン含有溶液の調製
硝酸銀４０４ｇを含む水溶液（ｐＨ４．０）２０６２ｍｌを用意し、１０℃にて保温した。
＜３＞反応浴溶液の調製
６３５０ｍｌの蒸留水と３００ｍｌのtert-ブチルアルコールを入れた反応容器を３０℃に保温した。
以上の＜１＞、＜２＞を以下の表１に記載される条件で＜３＞液中へ添加し、脂肪酸銀塩粒子を作成した。
・・・【０１５６】【表１】・・・」（【０１５３】〜【０１５９】）
　
　ここで、省略した表１には、粒子No.１〜１０の粒子に対する添加条件が記載されており、Ｎｏ．１〜１０のベヘン酸を含む脂肪酸銀粒子が調整されたことがわかる。
　
（１ｈ）「【０１６３】（下塗り支持体の作成）
（１）下塗層塗布液の作成・・・
【０１６６】(下塗り支持体の作成)・・・下塗り支持体を作成した。
【０１６７】（バック面塗布液の調製）
・・・
【０１７１】《ハロゲン化銀乳剤１の調製》・・・ハロゲン化銀乳剤１を作成した。・・・
【０１７４】《ハロゲン化銀乳剤２の調製》・・・ハロゲン化銀乳剤２を得た。・・・
【０１７５】《ハロゲン化銀乳剤３の調製》・・・ハロゲン化銀乳剤３を得た。・・・
【０１７６】《塗布液用混合乳剤Aの調製》ハロゲン化銀乳剤１を70重量%、ハロゲン化銀乳剤２を15重量％、ハロゲン化銀乳剤３を15重量％溶解し、ベンゾチアゾリウムヨーダイドを・・・添加した。
【０１７７】《還元剤の25重量%分散物の調製》化合物Ａ10kgと・・・還元剤分散物を得た。・・・
【０１８２】《ホスフィンオキシド化合物の25重量%分散物の調製》トリフェニルホスフィンオキシド10kgと変性ポリビニルアルコール・・・、ホスフィンオキシド分散物を得た。・・・
【０１８７】《乳剤層（感光性層）塗布液の調製》上記で得た顔料の20重量%水分散物を1.1g、粒子No.１〜10のいずれかを用いた脂肪酸酸銀分散物を各々103g、ポリビニルアルコールPVA-205(クラレ(株)製)の20重量%水溶液5g、25重量%還元剤分散物25g、有機ポリハロゲン化合物分散物-1,-2,-3を1:8:1（重量比）で総量16.2g、ホスフィンオキシド化合物の２５重量％分散物２１ｇ、メルカプト化合物10%分散物6.2g、限外濾過（UF）精製しpH調整したSBRラテックス40重量%を106ｇ、フタラジン化合物の5重量%溶液を18mlを添加し、ハロゲン化銀混合乳剤Aを10gを良く混合し、乳剤層塗布液を調製し、・・・、塗布した。
・・・
【０１９０】《乳剤面中間層塗布液の調製》・・・
【０１９１】《乳剤面保護層第１層塗布液の調製》・・・
【０１９２】《乳剤面保護層第２層塗布液の調製》・・・
【０１９３】《熱現像画像記録材料の作成》・・・
【０１９４】バック面と反対の面に下塗り面から乳剤層(・・・)、中間層、保護層第１層、保護層第２層の順番でスライドビード塗布方式にて同時重層塗布し、熱現像画像記録材料の試料を作成した。・・・化合物Ａ（構造式省略）」（【０１６３】〜【０１９７】）
　
　ここで、構造式を省略したが、還元剤である「化合物Ａ」は、その構造式からみて、上記記載事項オの、「２，２’−メチレンビス−（４−エチル−６−ｔｅｒｔ−ブチルフェノール）」であることがわかる。
　
（１ｉ）「・・・（写真性能の評価）上記のようにして作成した試料１〜10に対して、富士メディカルドライレーザーイメージャーＦＭ−ＤＰＬ（最大60mW(IIIB)出力の660nm半導体レーザー搭載）にて写真材料を露光・熱現像（約120℃)し、得られた画像の未露光部の光学濃度を濃度計により測定した。光学濃度は試料No1の濃度を100として相対値で示した。結果を表3にDminとして示す。また、各試料を50℃、相対湿度75％の環境下で３日間放置した後、同様に露光・熱現像をおこない、未露光部の光学濃度を濃度計により測定した。放置しないサンプルに対する光学濃度の変化率(百分率)を同じく表3にDmin変化率として示した。
【０１９９】
【表３】
【０２００】本発明の態様である試料No1,5,6,8,10は比較サンプルに対してDminが低く、かつDmin変化率が小さいことが理解される。」（【０１９８】〜【０２００】）
　
　上記の事項から、刊行物１には、以下の発明が開示されていると認められる。（以下、「刊行物１発明」という。） 
　 
「支持体上に、還元剤、バインダー、感光性ハロゲン化銀および脂肪酸銀塩粒子を有する熱現像感光画像記録材料であって、該脂肪酸銀塩粒子を形成させるために水と混合できるアルコールを用い、該非感光性有機銀塩粒子がベヘン酸銀を用いて作製され、トリフェニルホスフィンオキシド等のホスフィンオキシド類を含有することを特徴とする熱現像画像記録材料。」
　
（２）一方、原査定の拒絶の理由に引用文献２として引用された特開平１１−２７１９２０号公報（以下、「刊行物２」という。）には、次の事項が記載されている。
　
（２ａ）「【請求項１】  支持体上に非感光性銀塩および感光性ハロゲン化銀を有する感光性熱現像画像形成材料において、
前記非感光性銀塩が、ベヘン酸銀含有率９０モル％以上の有機酸銀であり、かつ前記感光性ハロゲン化銀を含有する感光性層および／またはその隣接層が造核剤を含有することを特徴とする感光性熱現像画像形成材料。
【請求項２】  非感光性銀塩が、ベヘン酸銀含有率９５モル％以上の有機酸銀である請求項１に記載の感光性熱現像画像形成材料。
【請求項３】  第３アルコール類の存在下で有機酸銀を調製する請求項１または２に記載の感光性熱現像画像形成材料。」（【特許請求の範囲】）
　
（２ｂ）「【０００１】
【発明の属する技術分野】本発明は感光性熱現像画像形成材料に関するものであり、特に写真製版用に用いられる感光性熱現像画像形成材料に関し、さらに詳しくスキャナー、イメージセッター用感光性熱現像画像形成材料に関し、さらに詳しくは、Ｄminが低く、かつ製造安定性に優れる感光性熱現像画像形成材料に関するものである。」
　
（２ｃ）「【０００７】
【発明が解決しようとする課題】従って、本発明の解決しようとする課題は、写真製版用、特にスキャナー、イメージセッター用として、硬調かつカブリの低い写真特性が得られ、かつ画像保存性の改良された感光性熱現像画像形成材料を提供することにある。」
　
（２ｄ）「本発明の感光性熱現像画像形成材料は、感光性ハロゲン化銀を含有する感光性層を有し、非感光性銀塩としてベヘン酸銀含有率９０モル％以上の有機酸銀を含有し、感光性層あるいはその隣接層、あるいはこれら両層に造核剤を含有するものである。このように有機酸銀と造核剤とを併用することによって、高感度でカブリ（Dmin）が低い硬調画像が得られる。また、紫外光によるDmin（最小濃度）の増加がなく画像保存性が改良される。これに対し、有機酸銀のベヘン酸銀含有率が９０モル％未満となると、カブリが上昇し画像保存性が悪化してしまう。また、硬調性も不十分である。
【００１２】一方、造核剤を含有させないと、写真製版用に適する硬調画像が得られない。カブリ上昇や画像保存性悪化の問題は硬調画像を得ようとして造核剤を添加した場合に生じるが、ベヘン酸含有率を９０モル％以上とした有機酸銀を用いることによって、これらの問題が解決されるとともに、さらには硬調性が高くなる効果が得られる。
【００１３】本発明に非感光性銀塩として用いることのできる有機銀塩は、光に対して比較的安定であるが、露光された光触媒（感光性ハロゲン化銀の潜像など）および還元剤の存在下で、８０℃或いはそれ以上に加熱された場合に銀画像を形成する銀塩である。・・・
・・・本発明においては、上記に挙げられる有機酸銀ないしは有機酸銀の混合物の中でも、ベヘン酸銀含有率９０モル％以上１００モル％以下の有機酸銀を用いる。ここでベヘン酸銀含有率とは、使用する有機酸銀に対するベヘン酸銀のモル分率を示す。本発明においてはベヘン酸銀含有率９５モル％以上がさらに好ましい。・・・」（【００１１】〜【００１４】）
　
（２ｅ）「【００１８】本発明に用いる有機酸銀は第３アルコールの存在下で調製されることが好ましい。第３アルコールとしては好ましくは総炭素数１５以下のものが好ましく、１０以下が特に好ましい。好ましい第３アルコールの例としては、tert-ブタノール等が挙げられるが、本発明はこれに限定されない。」
　
（２ｆ）「・・・・・・＜実施例１＞
・・・【０２６７】《有機酸銀分散物の調製》
＜有機酸銀Ａ＞アラキン酸6.1g、ベヘン酸37.6g、蒸留水700ml、tert-ブタノール70ml、1N-NaOH水溶液123mlを混合し、・・・・・・、有機酸銀分散物Ａを得た。・・・。こうして、ベヘン酸銀含有率85モル％の有機酸銀Ａを調製した。
【０２６９】＜有機酸銀Ｂ〜Ｄ＞アラキン酸とベヘン酸の混合比率を変え対外は有機酸銀Ａの調製法と全く同様にして、ベヘン酸銀含有率の異なる有機酸銀Ｂ〜Ｄを調製した。ベヘン酸銀含有率は表２３に示した。
　
バインダー；ラックスター3307B           固形分として  470g
（大日本インキ化学工業(株)製；SBRラテックスでガラス転移温度17℃）
1,1-ビス(2-ヒドロキシ-3,5-ジメチルフェニル)-3,5,5-トリメチルヘキサン
                                        固形分として  110g
トリブロモメチルフェニルスルホン        固形分として   25g
ベンゼンチオスルホン酸アトリウム                     0.25g
ポリビニルアルコール（クラレ(株)製MP-203）             46g
6-iso-ブチルフタラジン                               0.12mol
表２３に記載の造核剤                        表２３に記載の量
染料Ａ                                               0.62g
ハロゲン化銀乳剤Ａ                         Ag量として0.05mol
【０２８８】(写真性能の評価)得られた画像の評価をマクベスTD904濃度計(可視濃度)により行った。測定の結果は、Dmin、感度(Dminより1.0高い濃度を与える露光量の比の逆数)、コントラストで評価した。感度については画像形成材料のサンプルNo.1の感度を100とした。コントラストは露光量の対数を横軸として、濃度0.3と3.0の点を結ぶ直線の傾きで表した。
【０２８９】《画像保存性の評価》富士写真フイルム(株)社製刷版プリンターＳ−ＦＮＲIIIを用い、上記写真性能の評価と同様に露光および熱現像処理を施したサンプルを原稿として使用して、標準露光条件（富士写真フイルム(株)製ＰＳ版ＦＮＮが１：１に露光される露光量）にてＰＳ版に焼き付ける操作を５０回繰り返した。この時のサンプルの焼き付け露光前後のDmin部の濃度をマクベスTD904濃度計(ＵＶ濃度)で測定し、Dminの変化(ΔDmin)で示した。
【０２９０】各サンプルについて上記評価を実施した結果を表２３に示す。
【０２９１】【表２３】
 【０２９２】本発明のサンプルで、低カブリで高コントラスト、かつ高感度の性能が得られることがわかる。また画像保存性の評価においても本発明のサンプルは良好な性能を示すことがわかる。 」（【０２６３】〜【０２９２】）
　この記載において、表２３からみて、同条件下では、ベヘン酸銀含有率が８５ｍｏｌ％、８８ｍｏｌ％である有機銀塩Ａ，Ｂを使用したサンプルに比べて、９６％ｍｏｌ、９８ｍｏｌ％の有機銀塩Ｃ，Ｄを使用したサンプルの方が、やや感度は低下するものの、Ｄminおよび画像保存性△Ｄmin（ＵＶ）がともに小さいことがわかる。
（表２３における例えば、サンプルNo.5,6に対するNo.7,8、No.9,10に対するNo.11,12等参照。）
　
３．対比 
　本願発明と刊行物１発明とを対比する。
（３−１）「還元剤」
　刊行物１の「還元剤」は、上記記載事項（１ａ）、（１ｃ）、（１ｅ）および（１ｈ）より、実質的に用いている還元剤の化合物が本願と同じであること、および、「熱現像画像記録材料」の分野で、一般に、銀イオンを還元するための還元剤が必要とされることから、本願発明の「銀イオンのための還元剤」に相当する。
（３−２）「熱現像画像記録材料」
　刊行物１の「熱現像画像記録材料」は、感光性ハロゲン化銀を有すること、上記記載事項（１ｉ）にあるように、露光・熱現像して画像を得ていることなどから、本願発明の「熱現像感光材料」に相当する。
（３−３）「脂肪酸銀塩粒子」
　刊行物１の「脂肪酸塩銀粒子」は、上記記載事項（１ｃ）より、本願発明の「非感光性有機銀塩粒子」に相当する。
　そして、刊行物１の「脂肪酸塩銀粒子」は、「ベヘン酸」を主成分としている点で共通する。
（３−４）「水と混合できるアルコール」
　刊行物１の「水と混合できるアルコール」は、本願発明の「アルコールまたはアセトンの水溶性有機溶剤」に相当する。
　したがって、上記（３−３）と併せみると、刊行物１発明の、「該脂肪酸銀塩粒子を形成させるために水と混合できるアルコールを用い」たことによって形成された「脂肪酸銀塩粒子」は、本願発明の「該非感光性有機銀塩粒子がアルコールまたはアセトンの水溶性有機溶剤を用いて形成された有機銀粒子」に相当する。　
（３−５）「ホスフィンオキシド類」
　刊行物１の「トリフェニルホスフィンオキシド」は、本願発明の一般式（Ｉ）において、Ｒが、無置換のアリール基である場合の化合物であるから、本願発明の「一般式（Ｉ）で表される化合物」（一般式（Ｉ）は省略）に相当する。
　
　よって、本願発明と刊行物１発明とは、
「支持体上の一方面上に、少なくとも１種類の、感光性ハロゲン化銀、銀イオンのための還元剤、バインダー、及び非感光性有機銀塩粒子を有する熱現像感光材料であって、該非感光性有機銀塩粒子がアルコールまたはアセトンの水溶性有機溶剤を用いて形成された有機銀粒子であり、該非感光性有機銀塩粒子のベヘン酸銀を主成分として含有し、かつ下記一般式（Ｉ）で表される化合物を含有することを特徴とする熱現像感光材料（下記一般式（Ｉ）省略）。」
である点で一致し、以下の点で相違している。 
　 
［相違点］非感光性有機銀塩粒子について、本願発明は、「ベヘン酸銀含有率が９０モル％以上１００モル％以下」であるとしているのに対し、刊行物１発明では、ベヘン酸銀含有率について特定できない点。
　
４．判断 
　上記相違点について検討する。 
　刊行物１発明において、「ベヘン酸銀含有率について特定できない」としたが、請求人により、平成１８年１２月２７日に提出された意見書、および、平成１９年３月２８日に提出された手続補正書に記載の請求の理由に示された事項等により、刊行物１において、具体的に、ベヘン酸銀分散物を得るために使用されている「ヘンケル社製ベヘン酸（製品名ＥｄｅｎｏｒC22-85R）」はベヘン酸銀含有率が９０ｍｏｌ％に満たないことが分かる。
　このため、本願発明の「ベヘン酸銀含有率が９０モル％以上１００モル％以下」である構成は刊行物１には記載されておらず、確かに相違するものである。
　しかしながら、刊行物２には、低カブリで画像保存性が改良された画像を得るため、あるいは、Ｄminが低く、Ｄminの変化が小さいといった、刊行物１発明と共通の課題のもとに、「感光性熱現像画像形成材料」において、「ベヘン酸銀含有率９０モル％以上」とすることが記載されている。
　そして、刊行物１発明において、Ｄminが低く、Ｄminの変化を小さくするということ、すなわち、白色部の濃度（カブリ）を小さく、保存下でも白色部の濃度が小さいとの課題が記載されているが、熱現像感光材料において常に求められる課題であるから、更に良好な結果を得るべく、刊行物２に記載された課題解決手段を併せて採用してみることは当業者にとって容易に想到しうることである。
　よって、刊行物１発明において、刊行物２に記載された「ベヘン酸銀含有率が９０モル％以上」である構成を採用して、本願発明１の構成とすることは容易である。
　そして、その作用効果も、Ｄminが低く、Ｄminの変化を小さくするための手段を採用したことからみて、Ｄminの変化を評価するための保存状態の条件が異なる点を考慮しても、当業者の予測を超える、格別顕著なものではない。
　
（請求人の主張）
　請求人は、平成１９年３月２８に提出した審判請求の理由に、原査定の理由２（特許法第２９条第２項）についての反論として、次のように述べている。
　「・・・高純度のベヘン酸銀が公知であるにしても、引用文献９および１０に記載の熱現像感光材料には、どちらも特定水素結合性化合物が用いられておりません。 
 　上述しましたように、特定のベヘン酸銀含有率を有する非感光性有機銀塩粒子〔上記（Ａ）〕と特定水素結合性化合物〔上記（Ｂ）〕とを、選択的に組み合わせたことによって初めて、本願発明の優れた効果が特異的に発揮されるものであります。 
 　引用文献９の実施例と同様に、高純度のベヘン酸銀を用いつつも、特定水素結合性化合物を用いていない熱現像感光材料の評価が、本願の比較例にございます。本願段落番号［０２２３］に掲載されております表４の試料Ｎｏ．１４をご覧下さい。試料Ｎｏ．１４の比較例は、ベヘン酸銀の純度が９１．０％の有機酸銀分散物Ｃを用いておりますが、水素結合性化合物は用いられておりません。一方、同表の試料Ｎｏ．１５は、本願発明に該当し、有機酸銀分散物Ｃのほか、特定水素結合性化合物を用いております。 
 　当該試料Ｎｏ．１４および試料Ｎｏ．１５の画像保存性の評価が、本願段落番号［０２３３］の表６にございます。表６の画像保存性変化率をご覧頂ければ明らかなように、ベヘン酸銀の純度を上げ、さらに特定水素結合性化合物を組み合わせた試料Ｎｏ．１５の画像保存性は、特定水素結合性化合物を用いていない試料Ｎｏ．１４よりも驚くほど向上する結果となっております。 
　これは、ベヘン酸銀の純度が高いものであっても、特定水素結合性化合物を併せて用いない限りは、画像保存性の向上が認められないことを示しております。つまり、画像保存性について、ベヘン酸銀の純度を上げるのみでは、その効果は小さく、十分とはいえません。 
 　高純度のベヘン酸銀に加え、特定水素結合性化合物を用いることにより発揮される、このような顕著な効果は、引用文献９の記載から容易に想到することはできません。」
　上記請求人の主張は、引用文献９、すなわち、上記刊行物２に記載された発明と本願発明との相違点に基づいており、本質から外れている。
　仮に、「ベヘン酸銀の純度を上げるのみでは、その効果は小さく、十分ではなかった」ことを阻害要因として主張しようとしたものだと解してたとしても、画像保存性の向上を目的した、刊行物１に、同じく、「画像保存性」の向上を目的とした「非感光性有機銀塩粒子」を「特定のベヘン酸銀含有率」とする技術を適用することについて、刊行物２の「ベヘン酸銀の純度を上げる」構成のみでは、「その効果は小さく、十分ではなかった」としても、そのことが阻害要因であるとは認められない。　
　
 また、請求人は、次にようにも述べている。
 「また、本願発明は、非感光性有機銀塩粒子が、アルコールまたはアセトンの水溶性有機溶剤を用いて形成されたものであること〔上記（Ｃ）〕が重要な特徴となっております。しかし、引用文献１０に記載の非感光性有機銀塩粒子は、アルコールまたはアセトンを用いて形成されたものではございません。引用文献１０では、引用文献１０の段落番号［０１１１］に示されますように、粉末有機銀塩が純水中で調製されております。 
 　非感光性有機銀塩粒子が、アルコールまたはアセトンの水溶性有機溶剤を用いて形成されたものであることにより熱現像感光材料の画像保存性が非常に優れたものとなることは、平成１８年１２月２７日付けで提出いたしました意見書に追加実施例とともに説明しました記載のとおりであります。 
 　すなわち、前記意見書に示しました追加実施例におきましては、非感光性有機銀塩粒子が、純度９５％のベヘン酸銀でありながら、その作成の際に用いた溶媒が水、アセトン、アルコールであることにより画像保存性がどのように異なるかを示しております。当該追加実施例からは、非感光性有機銀塩粒子の作成を、水を用いて行うよりも、アセトンやアルコールを用いた方が、熱現像感光材料の画像保存性が向上することが歴然としております。」
　しかしながら、ここで主張している補正により本願発明１に追加された構成は、願書に最初に記載された明細書および図面に、好ましい構成として記載されており、実施例にて、「ｔｅｒｔ−ブタノール」を使用しているとはいえ、その構成により、主張している相乗的作用効果は、願書に最初に記載された明細書および図面に記載されていたものではない。
　そして、「ｔｅｒｔ−ブタノール」等の水溶性有機溶剤を使用する構成は、刊行物１発明の構成であり、相違点ではない。そして、刊行物２にも記載された構成でもある。
　したがって、出願人の上記主張は採用できない。
　よって、本願発明は、刊行物１および２に記載された発明に基づいて当業者が容易に発明をすることができたものである。
　
５．むすび 
　以上のとおり、本願の請求項１に係る発明は、刊行物１および２に記載された発明に基づいて当業者が容易に発明をすることができたものであるから、特許法第２９条第２項の規定により特許を受けることができない。 
　したがって、その他の請求項に係る発明について検討するまでもなく、本願は拒絶すべきものである。 
　よって、結論のとおり審決する。